(57)【要約】【課題】表示装置によって低温時に表示される表示映像の視認性を向上させることができるディマー制御装置および表示制御装置を提供すること。【解決手段】表示装置周辺の照度に応じてバックライトの発光輝度をディマー制御する場合に、バックライトの周辺温度が所定温度以上の場合、表示装置周辺の照度に応じてバックライトの発光輝度を制御し、バックライトの周辺温度が所定温度未満の場合、バックライトの周辺温度に応じてバックライトの発光輝度を制御するようにディマー制御装置を構成する。【選択図】図１
2012194208.tif 000002
【特許請求の範囲】
【請求項１】
表示装置周辺の照度に応じてバックライトの発光輝度を制御するディマー制御装置であって、
前記バックライトの周辺温度が所定温度以上の場合、前記照度に応じて前記発光輝度を制御する第１の制御を行い、前記周辺温度が前記所定温度未満の場合、前記周辺温度に応じて前記発光輝度を制御する第２の制御を行うディマー制御部
を備えたことを特徴とするディマー制御装置。
【請求項２】
前記ディマー制御部は、
前記第２の制御を行う場合、前記周辺温度が低いほど、ユーザによって設定された前記発光輝度の指示値よりも高い前記指示値を前記バックライトへ出力する
ことを特徴とする請求項１に記載のディマー制御装置。
【請求項３】
前記ディマー制御部は、
前記第２の制御を行う場合、前記周辺温度が低いほど、前記照度に応じた前記発光輝度の指示値よりも高い前記指示値を前記バックライトへ出力する
ことを特徴とする請求項１に記載のディマー制御装置。
【請求項４】
前記ディマー制御部は、
前記周辺温度が所定温度以上の状態から所定温度未満の状態へ移行した場合、前記第２の制御への切替えタイミングを遅延する
ことを特徴とする請求項１〜３のいずれか一つに記載のディマー制御装置。
【請求項５】
前記ディマー制御部は、
前記周辺温度が所定温度以上の状態から所定温度未満の状態へ移行した場合、前記第２制御への切替えを禁止する
ことを特徴とする請求項１〜３のいずれか一つに記載のディマー制御装置。
【請求項６】
表示装置周辺の照度に応じてバックライトの発光輝度を制御する表示制御装置であって、
前記照度を検出する照度検出部と、
前記バックライトの周辺温度を検出する温度検出部と、
前記周辺温度が所定温度以上の場合、前記照度に応じて前記発光輝度を制御する第１の制御を行い、前記周辺温度が前記所定温度未満の場合、前記周辺温度に応じて前記発光輝度を制御する第２の制御を行うディマー制御部と
を備えたことを特徴とする表示制御装置。
【発明の詳細な説明】
【技術分野】
【０００１】
本発明は、ディマー制御装置および表示制御装置に関する。
【背景技術】
【０００２】
従来、表示装置周辺の明るさの低下に応じて表示映像が暗くなるように表示装置のバックライトの発光輝度を低下させることで消費電力の低減を図るディマー制御が知られている。かかるディマー制御によって制御されるバックライトとして、たとえば、冷陰極蛍光ランプを用いた表示装置がある（たとえば、特許文献１参照）。
【０００３】
冷陰極蛍光ランプは、電圧を印加することで電極から放出される電子を蛍光管内のガス化した水銀原子へ衝突させ、電子と水銀原子との衝突により発生する紫外線を蛍光管内に塗布されている蛍光物質へ照射して可視光を発生させる。
【先行技術文献】
【特許文献】
【０００４】
【特許文献１】特開２００９−１７９２０７号公報
【発明の概要】
【発明が解決しようとする課題】
【０００５】
しかしながら、表示装置によって低温時に映像表示を開始させた場合、ディマー制御によってバックライトの発光輝度を低下させると、表示映像の視認性が低下するという問題があった。
【０００６】
たとえば、表示装置のバックライトとして蛍光ランプを用いた場合、周囲の気温が低下すると蛍光管内のガス化した水銀の蒸気圧が低下する。したがって、蛍光ランプは、低温時に点灯を開始すると、電子と水銀原子との衝突によって発生する紫外線の発生量が本来の発生量まで至らず所望の発光輝度に達しない。
【０００７】
かかる場合に、ディマー制御によってバックライトの発光輝度を低下させると、本来の明るさよりも暗い表示映像がさらに暗く表示されるため、表示映像の視認性が低下する。
【０００８】
このことから、バックライトとして蛍光ランプのように発光量に温度特性を有し、低温時に発光量が低下する照明装置を用いた表示装置によって低温時に表示される表示映像の視認性を向上させることができるディマー制御装置および表示制御装置をいかにして実現するかが大きな課題となっている。
【０００９】
本発明は、上記に鑑みてなされたものであって、表示装置によって低温時に表示される表示映像の視認性を向上させることができるディマー制御装置および表示制御装置を提供することを目的とする。
【課題を解決するための手段】
【００１０】
上述した課題を解決し、目的を達成するために、本発明は、表示装置周辺の照度に応じてバックライトの発光輝度を制御するディマー制御装置であって、前記バックライトの周辺温度が所定温度以上の場合、前記照度に応じて前記発光輝度を制御する第１の制御を行い、前記周辺温度が前記所定温度未満の場合、前記周辺温度に応じて前記発光輝度を制御する第２の制御を行うディマー制御部を備えたことを特徴とする。
【発明の効果】
【００１１】
本発明によれば、表示装置によって低温時に表示される表示映像の視認性を向上させることができるという効果を奏する。
【図面の簡単な説明】
【００１２】
【図１】図１は、本発明に係るディマー制御手法の概要を示す図である。
【図２】図２は、本実施例に係る表示制御装置の構成を示すブロック図である。
【図３】図３は、本実施例に係るディマー制御情報、ユーザ設定情報および係数情報の具体的一例を示す図である。
【図４】図４は、本実施例に係るディマー制御部の動作の一例を示す図である。
【図５】図５は、本実施例に係るディマー制御部が実行する処理を示すフローチャートである。
【図６】図６は、本実施例に係る制御切替制限ＩおよびIIを示す図である。
【発明を実施するための形態】
【００１３】
以下に添付図面を参照して、本発明に係るディマー制御手法を適用したディマー制御装置および表示制御装置の実施例を詳細に説明する。なお、以下では、本発明に係るディマー制御手法の概要について図１を用いて説明した後に、本発明に係るディマー制御手法を適用した表示制御装置の一実施例を図２〜図６を用いて説明することとする。
【００１４】
図１は、本発明に係るディマー制御手法の概要を示す図である。本発明に係るディマー制御手法（以下、「本手法」と記載する）は、バックライトとして蛍光ランプを用いた表示装置に対し、バックライトの周辺温度が所定温度以上か否かによってバックライトの発光輝度に関する制御を切り替える。なお、バックライトは、蛍光ランプに限定するものではなく、低温時に発光量が低下する任意の照明装置であってもよい。
【００１５】
すなわち、本手法では、バックライトの周辺温度が所定温度以上の状態（以下、「常温状態」と記載する）では、表示装置が設けられた環境（以下、単に「周辺」と記載する）の明るさを示す照度に応じてバックライトの発光輝度を制御する常温制御を行う。
【００１６】
また、本手法では、バックライトの周辺温度が所定温度未満の状態（以下、「低温状態」と記載する）では、バックライトの周辺温度に応じてバックライトの発光輝度を制御する低温制御を行う。
【００１７】
具体的には、本手法では、図１に示すように、バックライトの周辺温度が所定温度（たとえば、０℃）以上の常温状態では、照度が低下するにつれてバックライトへ出力する発光輝度の指示値を低くする常温制御（ディマー制御）を行う。
【００１８】
一方、本手法では、バックライトの周辺温度が前述した所定温度未満の低温状態では、たとえば、ユーザによって発光輝度の指示値が設定されている場合、周辺温度が低いほど、バックライトへ出力する発光輝度の指示値をユーザが設定したユーザ設定値よりも高くする低温制御を行う。なお、発光輝度をユーザが設定できないようになっている場合は、メーカ側で設定した設定値がユーザ設定値となる。
【００１９】
このように、本手法では、低温状態のために蛍光ランプ内の水銀の蒸気圧が下がり、ユーザ設定値をバックライトへ出力しても所望の発光輝度を得られない場合に、周辺温度が低いほどユーザ設定値よりも高い発光輝度の指示値をバックライトへ出力する。
【００２０】
これにより、本手法では、バックライトとして蛍光ランプのように低温時に発光量が低下する照明装置を用いた表示装置によって低温時に映像の表示を開始した場合に、バックライトの発光輝度をユーザが所望する発光輝度へ近付けることができるので表示映像の視認性を向上させることができる。
【００２１】
また、本手法では、バックライトへ出力するユーザ設定値が設定されていない場合、低温状態においても照度に応じてバックライトの発光輝度を制御するが、かかる場合には、周辺温度が低いほど、照度に応じた発光輝度の指示値よりも高い指示値をバックライトへ出力する低温制御を行う。
【００２２】
これにより、本手法によれば、バックライトの発光輝度をディマー制御しつつ、周囲温度の低下によるバックライトの発光輝度の低下を防止することができるので、低温状態で映像表示を開始した場合に、表示映像の視認性を向上させることができる。
【００２３】
以下では、図１を用いて説明した本手法を適用した表示制御装置についての実施例を詳細に説明する。なお、以下に示す実施例では、車載表示装置を制御する表示制御装置を例に挙げて説明するが、本発明に係るディマー制御手法は、車載表示装置に限らず任意の表示装置を制御する表示制御装置に対して適用することができる。
【実施例】
【００２４】
図２は、本実施例に係る表示制御装置１の構成を示すブロック図である。表示制御装置１は、表示装置の表示パネルへ光を照射する冷陰極蛍光ランプを備えたバックライトの発光輝度を制御するとともに、表示装置周辺の照度に応じて表示映像の視認性を改善する映像補正を行う装置である。
【００２５】
具体的には、表示制御装置１は、図２に示すように、映像情報取得部２、直射補正部３、照度センサ４、バックライト制御部５、ディマー制御装置６、乗算部７および温度センサ１０を備えている。
【００２６】
なお、表示制御装置１における照度センサ４および温度センサ１０以外の部分は、映像の補正およびバックライトの動作制御を行うために特化して設計したASIC（Application  Specific  Integrated  Circuit）である。
【００２７】
映像情報取得部２は、映像ソースとなる各装置より入力される映像信号から映像情報を取得して直射補正部３およびバックライト制御部５へ出力する処理部である。例えば、映像情報取得部２へは、車両周辺を撮像するカメラ、カーナビゲーション装置、デジタルテレビ放送受信装置およびＤＶＤ（Digital  Versatile  Disc）再生装置等の映像ソースから映像信号が入力される。
【００２８】
照度センサ４は、表示装置周辺の明るさを示す照度を検出し、検出した照度を直射補正部３およびディマー制御装置６へ出力するセンサである。温度センサ１０は、バックライトの周辺温度を検出するサーミスタである。かかる温度センサ１０は、たとえば、冷陰極蛍光ランプの蛍光管近傍の回路基板上に設けられ、検出した蛍光管近傍の温度をディマー制御部９へ出力する。
【００２９】
直射補正部３は、直射日光等の影響による表示映像の視認性の低下を抑制するために、照度センサ４から入力される照度に応じて映像情報を補正して映像補填部３４へ出力する処理部である。具体的には、直射補正部３は、視認性補正部３１、彩度補正部３２およびブレンド部３３を備えている。
【００３０】
視認性補正部３１は、映像情報取得部２から入力される映像情報に対して表示映像に含まれる輪郭部分を際立たせるようにエッジ補正を行い、補正後の映像情報を彩度補正部３２へ出力する処理部である。
【００３１】
彩度補正部３２は、視認性補正部３１から入力される映像情報に対して表示映像に含まれる中間色を原色へ近づけるように階調補正を行い、補正後の映像情報をブレンド部３３へ出力する処理部である。これら視認性補正部３１および彩度補正部３２は、直射日光等の影響が最も強い状況の下で最も視認性が向上するように補正した映像情報を生成する。
【００３２】
ブレンド部３３は、映像情報取得部２から入力される補正前の映像情報と彩度補正部３２から入力される補正後の映像情報とを照度センサ４から入力される照度に応じたブレンド比でブレンドし、ブレンド後の映像情報を映像補填部３４へ出力する処理部である。
【００３３】
かかるブレンド部３３は、照度センサ４から入力される照度が高いほど、ブレンド後の映像情報に占める補正後の映像情報のブレンド率が高く、補正前の映像情報のブレンド率が低くなるようにブレンド比を調整する。
【００３４】
バックライト制御部５は、映像情報取得部２から映像情報が入力された場合に、入力映像の輝度ヒストグラムを作成し、入力映像の輝度に応じてバックライトのデューティーを上限値（例えば８０％）以下の範囲で演算し、バックライトを発光させる制御信号を乗算部７を介してバックライトへ出力すると共に、映像補填部３４に演算したデューティー値を出力する処理部である。
【００３５】
映像補填部３４は、入力映像を１００％のデューティで発光した場合と同じになるよう、バックライト制御部５で減光される分映像を補填し、補填した映像情報を表示パネルへ出力する処理部である。
【００３６】
バックライトは、表示制御装置１から入力される制御信号のデューティー比に応じた発光輝度で発光する。すなわち、制御信号におけるデューティー比は、バックライトに対する発光輝度の指示値となる値である。
【００３７】
たとえば、バックライトは、デューティー比が１００％の場合に最高の発光輝度で発光（点灯）し、デューティー比が０％の場合に消灯する。そして、バックライト制御部５は、映像情報取得部２から映像情報が入力されている期間、デューティー比が入力映像の輝度に応じた制御信号を乗算部７へ出力する。
【００３８】
乗算部７は、バックライト制御部５から入力されるデューティー比の制御信号と、ディマー制御装置６から入力されるデューティー比とを乗算することによってデューティー比を調整した制御信号をバックライトへ出力する処理部である。
【００３９】
すなわち、乗算部７は、たとえば、バックライト制御部５から８０％のデューティー比が入力され、ディマー制御装置６から５０％のデューティー比が入力された場合、デューティー比が４０％の制御信号をバックライトへ出力することで、最高発光輝度の２／５の発光輝度でバックライトを発光させる。
【００４０】
ディマー制御装置６は、バックライトの発光輝度の指示値となるデューティー比を算出し、乗算部７を介してバックライトへ出力する装置である。このディマー制御装置６は、バックライトの周辺温度が所定温度以上の常温状態では、表示装置周辺の照度に応じたデューティー比を算出し、所定温度未満の低温状態では、周辺温度に応じたデューティー比を算出して乗算部７へ出力する。
【００４１】
具体的には、ディマー制御装置６は、記憶部８と、ディマー制御部９とを備えている。記憶部８は、ディマー制御情報８１、ユーザ設定情報８２および係数情報８３を記憶する。ここで、図３を用いて、ディマー制御情報８１、ユーザ設定情報８２および係数情報８３の具体的一例について説明する。
【００４２】
図３は、本実施例に係るディマー制御情報８１、ユーザ設定情報８２および係数情報８３の具体的一例を示す図である。以下では、前述の所定温度を０℃とし、バックライトの周辺温度が０℃以上の状態を常温状態、バックライトの周辺温度が０℃未満の状態を低温状態として説明する。なお、本実施例における所定温度は、０℃に限定するものではない。
【００４３】
図３に示すように、ディマー制御情報８１は、表示パネル周辺の外光による明るさを示す照度と、バックライトへ出力する制御信号のデューティー比との関係を示す関数（以下、「特性関数」と記載する）である。なお、図３では、説明を容易にするため、特性関数をグラフによって示しているが、記憶部８は、図３に示すグラフに対応する関数式をディマー制御情報８１として記憶する。
【００４４】
また、ディマー制御情報８１は、照度に対応するデューティー比が異なる１１種類の特性関数を備えており、１１種類の特性関数からユーザが所望の特性関数を選択することでバックライトの発光輝度を変更できるようにしている。
【００４５】
ユーザは、次に説明するユーザ設定情報８２からユーザ設定番号を選択する操作を行うことで所望の特性関数を選択する。なお、ディマー制御部９は、ユーザがユーザ設定番号の選択操作を行わない場合、最大デューティー比が下から６番目の特性関数をデフォルトとして選択する。
【００４６】
また、ユーザがバックライトの明るさの段階を調節できる機能をディマー制御装置６が持たない場合は、例えば最大デューティー比が最も高い特性関数のみがユーザ設定情報として設定される。
【００４７】
ユーザ設定情報８２は、「１」〜「１１」までの１１種類の各ユーザ設定番号に、設定フラグと、それぞれ異なるデューティー比とが対応付けられた情報である。ユーザ設定情報８２におけるユーザ設定番号は、ユーザがバックライトの明るさ設定を行う場合に選択する情報であり、バックライトの明るさの段階を示す情報である。
【００４８】
設定フラグは、ユーザによって選択されているユーザ設定番号を識別するための情報である。たとえば、ユーザによってユーザ設定番号「２」が選択された場合、図３に示すように、ユーザ設定番号「２」に対応する設定フラグとして「１」が設定される。
【００４９】
なお、ユーザによって選択されていないユーザ設定番号「１」および「３」〜「１１」に対応する設定フラグには「０」が設定される。かかる設定フラグは、所定の操作部から入力される操作信号（図２参照）に基づいて設定される。
【００５０】
ユーザ設定情報８２におけるデューティー比は、ディマー制御情報８１における特性関数の上限値を示す情報である。すなわち、ディマー制御部９は、ユーザによってユーザ設定番号が選択されている場合、常温状態ではユーザ設定番号に対応したデューティー比が最大デューティー比となっている特性関数に基づき、照度に応じたデューティー比を算出してバックライトへ出力する。
【００５１】
ただし、低温状態の場合、照度に応じたデューティー比の制御信号をバックライトへ出力したとしても常温状態の場合と同程度の発光輝度でバックライトを発光させることができないことがある。
【００５２】
しかも、バックライトの発光輝度は、バックライトの周辺温度が低いほど低下する。そこで、ディマー制御部９は、低温状態の場合、次に説明する係数情報を用いてバックライトの発光輝度をバックライトの周辺温度に応じて制御する。
【００５３】
係数情報８３は、バックライトの周辺温度Ｔを複数の温度範囲へ分割した各温度範囲と、バックライトへ出力する制御信号のデューティー比に対して乗算する係数とを対応付けた情報である。
【００５４】
図３に示す例では、Ｔ＜−２０℃の温度範囲に対して係数「１．５０」、−２０℃≦Ｔ＜−１０℃の温度範囲に対して係数「１．２５」、−１０℃≦Ｔ＜０℃の温度範囲に対して係数「１．０５」、０℃≦Ｔの温度範囲に対して係数「１．００」を対応付けている。すなわち、係数情報８３では、周辺温度Ｔが低いほど係数が大きくなるように規定している。
【００５５】
かかる各係数は、事前にシミュレーションを行うことで算出しておく。たとえば、シミュレーションでは、所定のデューティー比の制御信号によって常温状態でバックライトを発光させて発光輝度を検出する。
【００５６】
続いて、常温状態で用いた所定のデューティー比へ乗算する係数を変更しながら乗算後のデューティー比の制御信号によって低温状態の各周辺温度の範囲でバックライトを発光させて発光輝度を検出する。
【００５７】
そして、常温状態での発光輝度と低温状態での発光輝度との差分が最少であった場合に用いた係数を各温度範囲における係数情報８３として決定する。なお、ここでは、係数情報８３が温度範囲と係数とを対応付けたテーブルである場合について説明したが、係数情報８３は、バックライトの周辺温度の変化に対して係数がリニアに変化する関数情報であってもよい。
【００５８】
図２の説明に戻り、ディマー制御部９は、常温状態では、表示パネル周辺の照度に応じてバックライトの発光輝度を制御し、低温状態では、バックライトの周辺温度に応じてバックライトの発光輝度を制御する処理部である。かかるディマー制御部９は、温度取得部９１、選択部９２、照度取得部９３、およびデューティー比算出部９４を備えている。
【００５９】
温度取得部９１は、所定のサンプリング周期で温度センサ１０からバックライトの周辺温度を取得する処理部である。かかる温度取得部９１は、取得した周辺温度を選択部９２およびデューティー比算出部９４へ出力する。さらに、温度取得部９１は、取得した周辺温度に対応する係数を係数情報８３から選択してデューティー比算出部９４へ出力する。
【００６０】
選択部９２は、温度取得部９１から入力される周辺温度に基づいてディマー制御情報８１またはユーザ設定情報８２のいずれか一方を選択してデューティー比算出部９４へ出力する処理部である。
【００６１】
具体的には、選択部９２は、温度取得部９１から入力された周辺温度が所定温度（ここでは、０℃）以上であった場合、ディマー制御情報８１の特性関数をデューティー比算出部９４へ出力する。
【００６２】
このとき、選択部９２は、ユーザ設定情報８２を参照し、設定フラグが「１」となっているユーザ設定情報８２のデューティー比を上限値とする特性関数をディマー制御情報８１から選択してデューティー比算出部９４へ出力する。
【００６３】
また、選択部９２は、温度取得部９１から入力された周辺温度が所定温度（ここでは、０℃）未満であった場合、設定フラグが「１」となっているユーザ設定情報８２をデューティー比算出部９４へ出力する。すなわち、選択部９２は、デフォルトまたはユーザによって選択されているユーザ設定情報８２をデューティー比算出部９４へ出力する。
【００６４】
照度取得部９３は、所定のサンプリング周期で照度センサ４から表示パネル周辺の照度を取得し、取得した照度をデューティー比算出部９４へ出力する処理部である。
【００６５】
デューティー比算出部９４は、バックライトを発光させる制御信号のデューティー比を算出する処理部である。かかるデューティー比算出部９４は、温度取得部９１から入力された周辺温度が０℃以上の常温状態の場合、選択部９２から入力されるディマー制御情報８１の特性関数へ照度取得部９３から入力される照度を代入し、照度に応じたデューティー比を算出する。
【００６６】
また、デューティー比算出部９４は、温度取得部９１から入力された周辺温度が０℃未満の低温状態の場合、選択部９２から入力されるユーザ設定情報８２のデューティー比と、温度取得部９１から入力される係数とを乗算してデューティー比を算出する。
【００６７】
すなわち、デューティー比算出部９４は、低温状態の場合、ユーザによって設定された発光輝度に対応するデューティー比に対し、バックライトの周辺温度が低いほど大きな係数を乗算する。これにより、デューティー比算出部９４は、低温状態でもユーザが所望する発光輝度に近い発光輝度でバックライトを発光させることができるデューティー比を算出することができる。
【００６８】
そして、デューティー比算出部９４は、算出したデューティー比を乗算部７へ出力する。乗算部７は、バックライト制御部５から入力されるデューティー比の制御信号と、デューティー比算出部９４から入力されるデューティー比とを乗算することによってデューティー比を調整した制御信号をバックライトへ出力する。
【００６９】
これにより、ディマー制御装置６は、低温状態で映像の表示を開始した場合であっても、ユーザが所望する発光輝度に近い発光輝度でバックライトを発光させることができるため、低温状態のときに表示映像の視認性が低下することを防止することができる。
【００７０】
次に、図４を用いてディマー制御部９の動作の一例について説明する。図４は、本実施例に係るディマー制御部９の動作の一例を示す図である。なお、図４（ａ）は、ここでのディマー制御部９の動作環境を示す図であり、図４（ｂ）は、図４（ａ）に示す動作環境でのディマー制御部９の動作を説明する図である。
【００７１】
図４（ａ）に示すように、ここでは、バックライトの周辺温度が−３０℃のときに映像の表示が開始され、その後、周辺温度が１０℃以上まで上昇するものとして説明する。また、ここでは、図４（ａ）に示すように、−３０℃から−１５℃までの期間、−１５℃から３℃までの期間、３℃以上の期間で、ユーザにより選択された各ユーザ設定情報８２のデューティー比が５０％、８０％、２５％であったものとして説明する。
【００７２】
なお、図４（ａ）に示す照度に応じたデューティー比は、表示パネル周辺の照度変化に応じてディマー制御情報８１に基づき算出した場合のデューティー比を示している。
【００７３】
かかる場合、ディマー制御部９は、図４（ｂ）に示すように、バックライトの周辺温度が０℃未満の期間では、ユーザ設定情報８２のデューティー比と、バックライトの周辺温度に応じた係数とを乗算してバックライトへ出力する制御信号のデューティー比（以下、「出力デューティー比」と記載する）を算出する。
【００７４】
具体的には、ディマー制御部９は、周辺温度が−３０℃以上−２０℃未満の場合、ユーザ設定情報８２のデューティー比である５０％と、周辺温度に応じた係数「１．５０」とを乗算することで７５％という出力デューティー比を算出する。
【００７５】
同様にして、ディマー制御部９は、周辺温度が−２０℃以上−１０℃未満の場合、ユーザ設定情報８２のデューティー比が５０％の期間では６２．５％、ユーザ設定情報８２のデューティー比が８０％の期間では１００％という出力デューティー比を算出する。
【００７６】
一方、周辺温度が０℃以上の場合、ディマー制御部９は、表示パネル周辺の照度変化に応じてディマー制御情報８１に基づき算出したデューティー比と、係数「１．００」とを乗算して出力デューティー比を算出する。すなわち、常温状態では、表示パネル周辺の照度変化に応じてディマー制御情報８１に基づき算出されたデューティー比が、そのまま出力デューティー比となる。
【００７７】
このように、ディマー制御部９は、バックライトの周辺温度が０℃未満の低温状態では、ユーザによって選択されているデューティー比に対し、温度低下に伴う発光輝度の低下を考慮して温度範囲毎に予め算出した係数を乗算して出力デューティー比を算出する。これにより、表示制御装置１では、低温状態で映像表示を開始する場合に、表示映像の視認性が低下することを防止することができる。
【００７８】
次に、ディマー制御部９が実行する処理について説明する。図５は、本実施例に係るディマー制御部９が実行する処理を示すフローチャートである。なお、図２では、図示を省略しているが、ディマー制御部９は、所定の操作部から映像の表示開始を示す操作信号が入力されてから表示終了を示す操作信号が入力されるまでの間、所定周期（たとえば、数ｍｓｅｃ間隔）で図５に示す処理を繰り返し実行する。
【００７９】
具体的には、ディマー制御部９は、表示開始を示す操作信号が入力されると、図５に示すように、温度センサ１０からバックライト周辺の温度を取得し（ステップＳ１０１）、取得した温度が常温（たとえば、０℃以上）か否かを判定する（ステップＳ１０２）。
【００８０】
そして、ディマー制御部９は、ステップＳ１０１で取得した温度を常温と判定した場合（ステップＳ１０２，Ｙｅｓ）、照度センサ４から表示パネル周辺の照度を取得する（ステップＳ１０３）。
【００８１】
続いて、ディマー制御部９は、ステップＳ１０３で取得した照度に応じたデューティー比、すなわちディマー制御情報８１の特性関数へ照度を代入して得たデューティー比に対して係数「１．００」を乗算し（ステップＳ１０４）、処理をステップＳ１０５へ移す。
【００８２】
一方、ディマー制御部９は、ステップＳ１０１で取得した温度が常温でないと判定した場合（ステップＳ１０２，Ｎｏ）、ユーザ設定のデューティー比に対して温度に応じた係数を乗算し（ステップＳ１０６）、処理をステップＳ１０５へ移す。
【００８３】
すなわち、ディマー制御部９は、設定フラグが「１」となっているユーザ設定情報８２のデューティー比に対し、ステップＳ１０１で取得した温度に対応する係数を係数情報８３から読み出して乗算する。
【００８４】
そして、ディマー制御部９は、ステップＳ１０４またはステップＳ１０６で係数を乗算することにより算出したデューティー比を乗算部７へ出力し（ステップＳ１０５）、処理を終了する。
【００８５】
なお、上述した実施例では、低温状態（ステップＳ１０２，Ｎｏ）の場合に、ユーザによって選択されているデューティー比に対してバックライトの周辺温度に応じた係数を乗算する場合について説明したが、これは一例に過ぎない。
【００８６】
すなわち、ディマー制御部９は、低温状態の場合に、表示パネル周辺の照度に応じたデューティー比に対し、バックライトの周辺温度に応じた係数を乗算してバックライトへ出力する制御信号のデューティー比を算出するように構成してもよい。
【００８７】
かかる場合、ディマー制御部９は、バックライトの周辺温度が低いほど、大きな係数を表示パネル周辺の照度に応じたデューティー比に対して乗算するように構成する。かかる構成によっても、低温状態のときに表示映像の視認性が低下することを防止することができる。
【００８８】
また、上述した実施例では、バックライトの周辺温度が所定温度以上か否かによってバックライトの発光輝度に関する制御を切替える場合について説明したが、表示制御装置１による制御切替の手法は、これに限定するものではない。
【００８９】
たとえば、表示制御装置１は、表示パネル周辺の照度に応じた常温制御からバックライトの周辺温度に応じた低温制御への切替えに制限を設けることで制御切替による表示映像のちらつきを抑制することができる。
【００９０】
以下では、図６を用いて常温制御から低温制御への切替えに制御切替制限Ｉまたは制御切替制限IIを設けた場合について説明する。図６は、本実施例に係る制御切替制限ＩおよびIIを示す図である。
【００９１】
まず、制御切替制限Ｉについて説明する。制御切替制限Ｉを設けた場合、表示制御装置１は、バックライトの周辺温度の状態が常温状態から低温状態へ移行した場合に、常温制御から低温制御への切替えタイミングを遅延する。
【００９２】
たとえば、表示制御装置１は、図６に示すように、低温状態であったバックライトの周辺温度が０℃まで上昇した場合に、低温制御から常温制御への制御切替を行う（ステップＳ０１）。このとき、周辺温度が０℃に達した直後に再び０℃未満となる場合がある。
【００９３】
たとえば、車載表示装置の場合、映像表示を開始してバックライトの周辺温度が０℃に達したところで車両のドアや窓が開放されると、一時的にバックライトの周辺温度が０℃未満に戻ることがある。
【００９４】
かかる場合、周辺温度が０℃以上か否かによって低温制御と常温制御との切替えを行うと、制御切替が繰り返されて表示映像にちらつきが生じる恐れがある。ただし、車載表示装置の場合、ドアや窓の開放によって一時的にバックライトの周辺温度が低下しても、車両が走行を開始するとバックライトの周辺温度は常温状態へ戻ることが予想できる。
【００９５】
そこで、表示制御装置１は、周辺温度が０℃に達した後に再び０℃未満となった場合には、常温制御から低温制御への制御切替のタイミングを遅延する。たとえば、表示制御装置１は、バックライトの周辺温度が０℃まで上昇した後に０℃未満となった場合、バックライトの周辺温度が−５℃となるまで常温制御を継続してから低温制御への制御切替を行う（ステップＳ０２）。
【００９６】
即ち、制御の切り換えに温度についてのヒステリシスをもたせる。これにより、表示制御装置１は、制御切替の頻繁な繰り返しによって発生する表示映像のちらつきを防止することができる。
【００９７】
なお、表示制御装置１は、周辺温度が所定温度に達した後に再び所定温度未満となった場合、所定温度未満になってから一定時間（たとえば、５分）経過するまで常温制御を継続してから低温制御への制御切替を行うように構成してもよい。かかる構成によっても同様に、制御切替の頻繁な繰り返しによって発生する表示映像のちらつきを防止することができる。
【００９８】
このように、制御の切替えタイミングを遅延する構成とする場合、表示制御装置１は、ディマー制御装置６の記憶部８に、バックライトの発光輝度に関する制御切替の履歴情報を記憶させておき、ディマー制御部９が履歴情報に基づいて低温制御への切替えタイミングを遅延する。
【００９９】
次に、制御切替制限IIについて説明する。制御切替制限IIを設けた場合、表示制御装置１は、バックライトの周辺温度の状態が常温状態から低温状態へ移行した場合、常温制御から低温制御への切替えを禁止する。
【０１００】
たとえば、表示制御装置１は、図６に示すように、バックライトの周辺温度が低温状態から上昇し、時刻ｔ１で０℃に達した場合、低温制御から常温制御への制御切替を行う（ステップＳ１１）。その後、常温状態となった周辺温度が時刻ｔ２で０℃未満まで低下した場合、表示制御装置１は、常温制御から低温制御への制御切替を禁止する（ステップＳ１２）。
【０１０１】
これにより、表示制御装置１は、制御切替制限Ｉを設けた場合と同様に、制御切替の頻繁な繰り返しによって発生する表示映像のちらつきを防止することができる。なお、低温制御への切替えを禁止する構成とする場合、表示制御装置１は、ディマー制御装置６の記憶部８に、バックライトの発光輝度に関する制御切替の履歴情報を記憶させておき、ディマー制御部９が履歴情報に基づいて低温制御への切替えを禁止する。
【０１０２】
上述してきたように、表示制御装置１のディマー制御部９は、低温状態の場合に、バックライトの周辺温度に応じてバックライトの発光輝度を制御し、常温状態の場合に、表示パネル周辺の照度に応じてバックライトの発光輝度を制御する。これにより、表示制御装置１は、低温状態で映像の表示を開始した場合であっても、表示映像の視認性が低下することを防止することができる。
【符号の説明】
【０１０３】
１  表示制御装置
２  映像情報取得部
３  直射補正部
３１  視認性補正部
３２  彩度補正部
３３  ブレンド部
４  照度センサ
５  バックライト制御部
６  ディマー制御装置
７  乗算部
８  記憶部
８１  ディマー制御情報
８２  ユーザ設定情報
８３  係数情報
９  ディマー制御部
９１  温度取得部
９２  選択部
９３  照度取得部
９４  デューティー比算出部
１０  温度センサ
【図１】
2012194208.tif 000003
【図２】
2012194208.tif 000004
【図３】
2012194208.tif 000005
【図４】
2012194208.tif 000006
【図５】
2012194208.tif 000007
【図６】
2012194208.tif 000008